(57)【要約】【課題】  破袋済みゴミ袋を、ゴミ処理装置に同調して圧縮処理する装置を提供する。【解決手段】  上部に破袋済みゴミ袋の投入口１を開口し、内部に螺旋回転翼３を設けた破袋済みゴミ袋の収容域４と、この破袋済みゴミ袋の収容域４に連続して内面軸方向にリブ５を付設した先細りのテーパシリンダ６と、このテーパシリンダ６内に前記螺旋回転翼３と同軸に先細り螺旋回転翼３ｂを設けた破袋済みゴミ袋の圧縮域７と、この破袋済みゴミ袋の圧縮域７の先端に設けた邪魔板８とからなる。また必要ならば、上記ゴミ袋の収容域４下側に排出口２を設け、上記テーパシリンダ６の先端にピン９を軸にして揺動可能に圧縮済みゴミ袋受け台１０取り付けるともに、上記圧縮済みゴミ袋受け台１０の基端に圧縮されたゴミ袋を収容する圧縮済ゴミ袋収容チューブ留置管１１を付設する。【選択図】図１
2014065074.tif 000002
【特許請求の範囲】
【請求項１】
上部に破袋済みゴミ袋の投入口（１）を開口し、内部に螺旋回転翼（３）を設けた破袋済みゴミ袋の収容域（４）と、この破袋済みゴミ袋の収容域（４）に連続して内面軸方向にリブ（５）を付設した先細りのテーパシリンダ（６）と、このテーパシリンダ（６）内に前記螺旋回転翼（３）と同軸に先細り螺旋回転翼（３ｂ）を設けた破袋済みゴミ袋の圧縮域（７）と、この破袋済みゴミ袋の圧縮域（７）の先端に設けた邪魔板（８）とを設けてなる破袋済みゴミ袋の圧縮装置。
【請求項２】
上記ゴミ袋の収容域（４）の下側に排出口（２）を設けた請求項１に記載の破袋済みゴミ袋の圧縮装置。
【請求項３】
上記テーパシリンダ（６）の先端にピン（９）を軸にして揺動可能に圧縮済みゴミ袋受け台（１０）を取り付け、この圧縮済みゴミ袋受け台（１０）の基端に圧縮済ゴミ袋を収容するチューブ留置管（１１）を付設してなる請求項１または２に記載の破袋済みゴミ袋の圧縮装置。
【発明の詳細な説明】
【技術分野】
【０００１】  この発明はごみを収容していたゴミ袋を圧縮する装置に関する。
【背景技術】
【０００２】  本出願人はこれまで幾つかの「破袋機」「破・除袋機」を提案してきた。【０００３】  上記提案の内、破袋機から排出されるゴミには破袋済みゴミ袋が混在しており、別の工程あるいは装置でゴミ袋を取り除く必要がある。【０００４】  また、破・除袋機から排出される破袋済みゴミ袋は、嵩高であるからその後の流通のためには圧縮して嵩低くする必要がある。【０００５】
【特許文献１】特開２００５−１６９３６７
【特許文献１】特開２００８−０４３９３４
【発明の開示】
【発明が解決しようとする課題】
【０００６】  このような状況のもとでこの発明は、破袋機や破・除袋機から排出される破袋済みゴミ袋をごみ処理作業の流れに沿って連続的に圧縮して嵩低くする装置を提供しようとするものである。
【課題を解決するための手段】
【０００７】  上部に破袋済みゴミ袋の投入口１を開口し、内部に螺旋回転翼３を設けた破袋済みゴミ袋の収容域４と、この破袋済みゴミ袋の収容域４に連続して内面軸方向にリブ５を付設した先細りのテーパシリンダ６と、このテーパシリンダ６内に前記螺旋回転翼３と同軸に先細り螺旋回転翼３ｂを設けた破袋済みゴミ袋の圧縮域７と、この破袋済みゴミ袋の圧縮域７の先端に設けた邪魔板８とからなる。また必要ならば、上記ゴミ袋の収容域４の下側に排出口２を設け、上記テーパシリンダ６の先端にピン９を軸にして揺動可能に圧縮済みゴミ袋受け台１０を取り付け、この圧縮済みゴミ袋受け台１０の基端に圧縮されたゴミ袋を収容するチューブ留置管１１を付設することができる。
【発明の効果】
【０００８】  上記の如く構成する本発明によれば、収容域４と圧縮域７と邪魔板８とで螺旋回転翼３と先細り螺旋回転翼３ｂと邪魔板８とにより破袋済みゴミ袋は圧縮域７内で圧縮されながら押し出され、一定量ごとに邪魔板８が開き、その部分の圧縮状態が緩んで一定量ごとの塊となって排出される。したがって作業環境の改善と物流を含む作業能率を向上させることができる。
【発明を実施するための最良の形態】
【０００９】  次にこの発明の実施例を図面と共に説明する。１は破袋機または破・除袋機から排出され、あるいは搬送された破袋済みゴミ袋（ゴミが残っている場合がある）を受け入れる投入口で、この投入口１の直下はゴミ袋の収容域４になり、ここには螺旋回転翼３が、また、ゴミ袋の収容域４に引き続きテーパシリンダ６によって形成されるゴミ袋圧縮域７が設けられ、その内部には先細り螺旋回転翼３ｂが上記螺旋回転翼３と同軸に設けられ、テーパシリンダ６の先端には邪魔板８がエアシリンダ１３と共に取り付けられている。【００１０】  テーパシリンダ６の先端にはピン９を軸にして下向きに揺動する圧縮済みゴミ袋受け台１０が取り付けられ、その基端に圧縮され塊状になったゴミ袋を収容するチューブ留置管１１が設けられ、その先端の周囲にはチューブの抜け落ちを防止するリング１７を付設している。【００１１】  また、破袋済みゴミ袋の中には固形のゴミが残留している場合があるので、必要ならばそれを除去するため、螺旋回転翼３を収容するゴミ袋の収容域４の下に排出口２（図７参照）を設けている。【００１２】  ゴミ袋の収容域４に投入された破袋済みゴミ袋は螺旋回転翼３と先細り螺旋回転翼３ｂによって収容域４からゴミ袋圧縮域７へ押し進められ、テーパシリンダ６の先端に設けられた邪魔板８により、その流れが阻害されて圧縮された塊状となって吐出される。【００１３】  ここで、破袋済みゴミ袋中に混在している固形ゴミ（特に乾電池や空き缶）は、螺旋回転翼３に絡まないでゴミ袋の収容域４の下に設けた排出口２から排出され図示しない手段で処理される。【００１４】  テーパシリンダ６から吐出される塊状のゴミ袋は、留置管１１に留置された、その先端を閉塞したチューブの中に入り蛇腹状になったチューブを伸ばしながら圧縮済みゴミ袋受け台１０の上を進み、その先端が圧縮済みゴミ袋受け台１０の端に至ると図示しないリミットスイッチ（この他の検知センサでもよい）が作動してエアシリンダ１３により邪魔板８が開き、その部分でのゴミ袋の圧縮状態が緩くなる。なお、図中の１６は邪魔板の開度調整ネジである。【００１５】  これと若干の時差をもってエアシリンダ１２が働き、圧縮済みゴミ袋受け台１０は下向きに揺動し、圧縮状態が緩くなったところで折れ曲って分離する。ここでチューブの開口部を紐で括るか公知の融着手段で閉塞する。【００１６】  ここで邪魔板８は設定時間経過すると復帰し、圧縮済みゴミ袋受け台１０も同様に復帰して上述の圧縮・押し出し工程を繰り返すこととなる。【００１７】  また、テーパシリンダ６の内面に軸方向にリブ５を設けているのは、先細り螺旋回転翼３ｂの回転と共に破袋済みゴミ袋が共回りしないようにするもので、共回りすると破袋済みゴミ袋の圧縮効果が得られなくなるからである。【００１８】  また、邪魔板８の動作をエアシリンダ１３でテーパシリンダ６の軸に向って進退するようにしたが、これに代えて回転パドル状のものを採用することもできる。
【産業上の利用可能性】
【００１９】  以上説明したように本発明によれば、破袋機や破・除袋機を通過したゴミ袋をゴミと破袋済みゴミ袋とに仕分けし、嵩高で軽い破袋済みゴミ袋を連続的に圧縮して、一定の大きさごとに袋詰めすることにより作業環境の改善に資することができ、作業効率も改善されるので産業上利用効果が高いものである。
【図面の簡単な説明】
【００２０】
【図１】  本発明に係る装置の一部切開正面図
【図２】  邪魔板部分の説明図で（ａ）は邪魔板が閉じた状態、（ｂ）は開いた状態
【図３】  図１のＢ−Ｂ断面図
【図４】  邪魔板と留置管部分の部分断面図
【図５】  テーパシリンダ部の断面図
【図６】  図１のＡ−Ａ断面図
【図７】  排出口を設けた場合の部分断面図
【符号の説明】
【００２１】１：投入口
２：排出口
３：螺旋回転翼
３ｂ：先細り螺旋回転翼
４：（破袋済みゴミ袋の）収容域
５：リブ
６：テーパシリンダ
７：（破袋済みゴミ袋の）圧縮域
８：邪魔板
９：ピン
１０：圧縮済みゴミ袋受け台
１１：チューブ留置菅
１２：エアシリンダ（圧縮済みゴミ袋受け台作動用）
１３：エアシリンダ（邪魔板作動用）
１４：ブラケット（邪魔板作動エアシリンダ用）
１５：回転軸
１６：邪魔板調整手段
１７：（圧縮済みゴミ袋収容チューブの）抜け止めリング
【図１】
2014065074.tif 000003
【図２】
2014065074.tif 000004
【図３】
2014065074.tif 000005
【図４】
2014065074.tif 000006
【図５】
2014065074.tif 000007
【図６】
2014065074.tif 000008
【図７】
2014065074.tif 000009